(57)【要約】      （修正有）【課題】様々な顔の大きさに応じて、花粉や粉塵等から眼を適切に保護するアイウエアを提供する。【解決手段】レンズ保持部１７０と、レンズ保持部１７０を支持し、レンズ保持部１７０に対して独立して可撓するフード部１６０と、フード部１６０に接続されるテンプル１３０と、レンズ保持部１７０とフード部１６０との隙間から顔面方向に異物が侵入することを防止する防止部と、を備える。【選択図】図１
2016040579.tif 000002
【特許請求の範囲】
【請求項１】
レンズ保持部と、
前記レンズ保持部を支持し、前記レンズ保持部に対して独立して可撓するフード部と、
前記フード部に接続されるテンプルと、
前記レンズ保持部と前記フード部との隙間から顔面方向に異物が侵入することを防止する防止部と、
を備えるアイウエア。
【請求項２】
前記フード部は、前記レンズ保持部よりも可撓性が高くなるように形成される、請求項１に記載のアイウエア。
【請求項３】
前記防止部は、
前記レンズ保持部のリムから前記顔面方向に延設され、前記フード部における前記レンズ保持部側の縁部に略密着して重なる延設部材から形成される、請求項１又は２に記載のアイウエア。
【請求項４】
前記レンズ保持部と、前記フード部とは、眉間部分で接続される、請求項１乃至３いずれか一項に記載のアイウエア。
【請求項５】
前記フード部は、中央部分が外側部分よりも薄く形成される、請求項１乃至４いずれか一項に記載のアイウエア。
【請求項６】
前記フード部は、中央部分を含む第１部分と、前記第１部分と異なる素材で形成される第２部分とを含む、請求項１乃至４いずれか一項に記載のアイウエア。
【請求項７】
前記フード部は、前記顔面方向の縁部に、弾性部が設けられる、請求項１乃至４いずれか一項に記載のアイウエア。
【発明の詳細な説明】
【技術分野】
【０００１】
本発明は、アイウエアに関する。
【背景技術】
【０００２】
近年、花粉や粉塵などから眼を保護するための眼鏡が開発されている。例えば、フード部を設けて花粉や粉塵から眼を保護するアイウエア（例えば、非特許文献１参照）や、レンズの中央上部にブレーズバーを止着し、レンズの周縁にヒサシを形成した保護眼鏡（例えば、特許文献１参照）などがある。
【先行技術文献】
【特許文献】
【０００３】
【特許文献１】特開２０１２−４７９６２号公報
【非特許文献】
【０００４】
【非特許文献１】「ＪＩＮＳ  花粉Ｃｕｔ」、［ｏｎｌｉｎｅ］、［平成２６年８月１２日検索］、インターネット＜ＵＲＬ：http://www.jins-jp.com/functional/kafun/＞
【発明の概要】
【発明が解決しようとする課題】
【０００５】
しかしながら、フード部を設ける技術において、フード部がレンズ保持部と一体となっていることでフード部分の剛性が強くなっており、フード部の形状が可撓しにくいことでユーザの頭の形状によってはフード部がフィットしない場合がある。これにより、フード部と顔面との間に隙間が生じてしまっていた。
【０００６】
また、レンズにヒサシを設け、ブレーズバーと独立させる技術について、顔の大きさなどに影響を受けないレンズに対して、既定のヒサシが設けられているが、規定のヒサシでは顔面との密着性が低く、花粉や粉塵等から眼を保護する効果は必ずしも高くはない。
【０００７】
したがって、従来技術におけるアイウエアでは、様々な顔の大きさに応じて、花粉や粉塵等から眼を適切に保護することができないという課題があった。
【０００８】
そこで、本発明は、様々な顔の大きさに応じて、花粉や粉塵等から眼を適切に保護することができるアイウエアを提供することを目的とする。
【課題を解決するための手段】
【０００９】
本発明の一態様におけるアイウエアは、レンズ保持部と、前記レンズ保持部を支持し、前記レンズ保持部に対して独立して可撓するフード部と、前記フード部に接続されるテンプルと、前記レンズ保持部と前記フード部との隙間から顔面方向に異物が侵入することを防止する防止部と、を備える。
【００１０】
また、前記フード部は、前記レンズ保持部よりも可撓性が高くなるように形成されてもよい。
【００１１】
前記防止部は、前記レンズ保持部のリムから前記顔面方向に延設され、前記フード部における前記レンズ保持部側の縁部に略密着して重なる延設部材から形成されてもよい。
【００１２】
前記レンズ保持部と、前記フード部とは、眉間部分で接続されてもよい。
【００１３】
前記フード部は、中央部分が外側部分よりも薄く形成されてもよい。
【００１４】
前記フード部は、中央部分を含む第１部分と、前記第１部分以外の第２部分とが異なる素材で形成されてもよい。
【００１５】
前記フード部は、前記顔面方向の縁部に、弾性部が設けられてもよい。
【発明の効果】
【００１６】
本発明によれば、様々な顔の大きさに応じて、花粉や粉塵等から眼を適切に保護することができる。
【図面の簡単な説明】
【００１７】
【図１】実施例におけるメガネの一例を概略的に示す斜視図である。
【図２】実施例におけるメガネの一例を示す平面図である。
【図３】実施例におけるメガネのＡ−Ａ’端面の一例を示す図である。
【図４】実施例におけるメガネの分解斜視図である。
【図５】実施例におけるレンズ保持部の背面図である。
【図６】実施例におけるレンズ保持部の斜視図である。
【図７】実施例におけるフード部の斜視図である。
【図８】実施例におけるメガネを、設計上想定される理想の頭サイズのユーザに装着した状態を示す平面図である。
【図９】実施例におけるメガネを、設計上想定される理想の頭サイズより大きいユーザに装着した状態を示す平面図である。
【図１０】変形例におけるレンズ保持部の一例を示す斜視図である。
【図１１】変形例におけるフード部の一例を示す斜視図である。
【図１２】変形例における防止部の一例を示す端面図である。
【図１３】変形例における防止部の一例を示す端面図である。
【発明を実施するための形態】
【００１８】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１９】
［実施例］
＜メガネ全体＞
図１は、実施例におけるメガネ１００の一例を概略的に示す斜視図である。メガネ１００は、レンズ１１０及びフレームを備える。メガネ１００は、アイウエアの一例である。フレームは、例えば、テンプル１３０と、モダン１３２と、フード部１６０と、レンズ保持部１７０と、防止部１８０とを有する。
【００２０】
レンズ保持部１７０は、一対のレンズ１１０を支持する。レンズ保持部１７０は、リム１２２と、眉間部（例えばブリッジ）１２４と、ヨロイ１２６と、を有する。
【００２１】
また、フード部１６０は、Ｘ方向における両端において、丁番１２８によりテンプル１３０と一体的に形成される。なお、メガネ１００の種類によっては、一枚レンズを用いることでフレームのブリッジ部分がない場合がある。この場合、一枚レンズの眉間部分を眉間部とする。
【００２２】
フード部１６０は、レンズ保持部１７０を支持し、レンズ保持部１７０に対して独立して可撓するように設けられる。フード部１６０は、顔の大きさに応じてテンプル１３０が広がったり狭まったりすることにより可撓する。フード部１６０が、レンズ保持部１７０と別体となっていることで、フード部１６０が顔の大きさに応じて可撓しやすくなり、フード部１６０と顔面との密着性を高めることができる。これにより、フード部１６０は、フード部１６０と顔面との隙間から異物が顔面に侵入することを防止することができる。
【００２３】
なお、フード部１６０の顔面方向における縁の形状は、人の標準の顔面形状に密着するように形成されればよい。また、フード部１６０は、レンズ保持部１７０よりも可撓性が高くなるように形成されてもよい。これにより、フード部１６０が顔の大きさに応じて、より可撓しやすくなり、顔面との密着性が高まる。
【００２４】
また、フレームは、レンズ保持部１７０とフード部１６０との隙間から顔面方向に異物が侵入することを防止する防止部１８０を有する。異物とは、例えば花粉や粉塵等である。フード部１６０とレンズ保持部１７０とを別体にすることで、レンズ保持部１７０とフード部１６０との間に隙間が生じてしまうが、防止部１８０は、この隙間から異物が顔面方向に侵入することを防止することができる。なお、防止部１８０の具体例については後述する。
【００２５】
図２は、実施例におけるメガネ１００の一例を示す平面図である。図２に示すメガネ１００は、上方向から見たメガネである。図２に示すように、フード部１６０は、花粉や粉塵等から眼を保護するため、顔面に密着するようにフロント側からＹ方向に突出している。フード部１６０は、例えば顔面方向の縁部の曲率が大きくなるように、または小さくなるように可撓する。
【００２６】
レンズ保持部１７０は、フード部１６０と独立して形成される。例えば、レンズ保持部１７０と、フード部１６０とは、眉間部１２４で接続される。なお、本実施例においては、レンズ保持部１７０とフード部１６０との接続点は１点であるが、両端のヨロイ１２６近傍の２点などの２点以上の点で接続されてもよい。また、接続点以外の部位において、レンズ保持部１７０とフード部１６０との間にバネなどの弾性部材を設けてもよい。また、レンズ保持部１７０とフード部１６０との接続点は、例えばネジなどにより止着されてもよい。
【００２７】
レンズ保持部１７０とフード部１６０との間の隙間に、防止部１８０が存在する。防止部１８０は、花粉や粉塵等が顔面方向に侵入しにくいような機構や素材を用いる。
【００２８】
図３は、実施例におけるメガネ１００のＡ−Ａ’端面の一例を示す図である。図３に示す端面は、図２に示すＡ−Ａ’における端面形状である。図３に示す例では、レンズ保持部１７０は、レンズ１１０を保持している。例えば、防止部１８０は、レンズ保持部１７０のリムから顔面方向に延設され、フード部１６０におけるレンズ保持部１７０側の縁部に略密着して重なる延設部１７７を含む。
【００２９】
延設部１７７は、レンズ保持部１７０と別の部材で形成されてもよい。フード部１６０は、延設部１７７とＺ方向において重なっており、この重なりによって、レンズ保持部１７０とフード部１６０との隙間から異物が侵入しにくくなっている。さらに、延設部１７７は、Ｙ方向に略平行に形成されるのではなく、Ｚ方向においてフード部１６０側に傾いて設けられてもよい。これにより、レンズ保持部１７０とフード部１６０との隙間から異物が侵入することをさらに防ぐことができる。
【００３０】
なお、図３に示す例では、Ｚ方向においてレンズ１１０の中心から見て、フード部１６０が延設部１７７より外側に設けられているが、フード部１６０が延設部１７７よりも内側に設けられてもよい。
【００３１】
図４は、実施例におけるメガネ１００の分解斜視図である。図４に示す例では、レンズ保持部１７０と、フード部１６０及びテンプル１３０とは、別々に形成される。レンズ保持部１７０とフード部１６０とが別々に形成されることで、レンズ保持部１７０とフード部１６０とが一体として形成されるよりも、フード部１６０の可撓性が向上する。フード部１６０は、可撓性が増すことにより、様々な大きさの頭に密着しやすくなる。
【００３２】
図４に示す例では、一対のノーズパッド１４０は、フード部１６０に設けられる。また、フード部１６０の眉間部分に、凹部１６５を有する。この凹部１６５は、図５に示すレンズ保持部１７０の凸部に嵌合する。
【００３３】
＜レンズ保持部＞
次に、レンズ保持部１７０について説明する。図５は、実施例におけるレンズ保持部１７０の背面図である。図５に示す例では、レンズ保持部１７０は、凸部１７５と、延設部１７７とを有する。
【００３４】
凸部１７５は、図４に示す凹部１６５に嵌合される。凸部１７５は、ネジ穴１７６を有してもよい。ネジ穴１７６は、１つに限られるものではなく、複数あってもよい。レンズ保持部１７０とフード部１６０は、ネジ穴１７６を用いて止着されてもよい。なお、ネジを用いてレンズ保持部１７０とフード部１６０とが止着される場合は、凸部１７５及び凹部１６５は、必ずしも必要な構成ではない。
【００３５】
図５に示す延設部１７７は、例えばリムのうちノーズ部分以外の部分を囲むように形成される。延設部１７７は、リム側から顔面方向に延設される部材である。
【００３６】
図６は、実施例におけるレンズ保持部１７０の斜視図である。図６に示す例では、レンズ保持部１７０の眉間部１２４の顔面方向に凸部１７５を有する。この凸部１７５は、上述したように、フード部１７０の凹部１６５に嵌合される。
【００３７】
図６に示す例では、上述したように、レンズ保持部１７０のリムから顔面方向に延設部１７７が設けられる。図６に示すように、レンズ保持部１７０のリムの中央から外側にかけて、標準的な顔面形状に合わせて延設部１７７の延設の長さが長くなる。
【００３８】
なお、図６に示す延設部１７７は、眉間部１２４において、レンズ保持部１７０とフード部１６０とを接続した場合の例である。他方、レンズ保持部１７０の両端でフード部１６０と接続される場合は、レンズ保持部１７０のリムの中央から外側にかけて、延設部１７７の延設の長さが短くなるようにしてもよい。
【００３９】
＜フード部＞
次に、フード部１６０について説明する。図７は、実施例におけるフード部１６０の斜視図である。図７に示すように、フード部１６０は、鼻部分に、一対のノーズパッド１４０を有し、眉間部に凹部１６５を有する。
【００４０】
凹部１６５は、レンズ保持部１７０の凸部１７５に嵌合することにより、レンズ保持部１７０とフード部１６０とが位置決めされて接続される。
【００４１】
フード部１６０は、花粉や粉塵等が眼の部分に侵入しないように形成されている。例えば、フード部１６０は、顔面方向に延設された部分を有する。フード部１６０の中央から外側にかけて、フード部１６０の延設の長さは、顔面方向において長くなるように形成されている。
【００４２】
フード部１６０の厚みは、中央部分が外側部分よりも薄く形成されてもよい。これにより、フード部１６０の可撓性を向上させることができ、さらにフード部１６０の縁部分が顔面に密着しやすくなる。これは、例えばフード部１６０全体を同じ素材で形成する場合に、可撓性を増すために有効な手段である。
【００４３】
＜フード部１６０の可撓性＞
次に、フード部１６０の可撓性について説明する。図８は、実施例におけるメガネ１００を、設計上想定される理想の頭サイズのユーザに装着した状態を示す平面図である。
【００４４】
図８に示すように、フード部１６０と、レンズ保持部１７０との間には、フード部１６０の撓みを考慮した遊び部分（隙間）がある。この隙間から異物が顔面方向に侵入することを防止するための防止部１８０（例えば延設部１７７）が、隙間部分に設けられる。
【００４５】
以降では、防止部１８０を延設部１７７として説明する。延設部１７７は、レンズ保持部１７０のリムに延設されている。この延設部１７７は、リムと同じ素材で形成されてもよいし、異なる素材で形成されてもよい。例えば、延設部１７７は、花粉や粉塵等を吸着するような光触媒等で形成されるとよい。
【００４６】
図９は、実施例におけるメガネ１００を、設計上想定される理想の頭サイズより大きいユーザに装着した状態を示す平面図である。図９に示すように、フード部１６０が、図８に示すフード部１６０よりも、顔面方向の縁部の曲率が大きくなるように撓んでいる。フード部１６０は、この可撓性を利用して、ユーザの顔面に密着しやすくなる。また、レンズ保持部１７０は、フード部１６０とは独立して形成されているため、フード部１６０の撓みによる影響を受けない。
【００４７】
フード部１６０が撓むことにより、レンズ保持部１７０との隙間の大きさが変わるが、延設部１７７は、この隙間の大きさの変動を考慮したサイズに形成される。
【００４８】
以上、実施例によれば、レンズ保持部１７０とフード部１６０とを独立して形成することで、フード部１６０を撓みやすくし、フード部１６０の顔面方向の縁が顔面に密着しやすくなる。さらに、フード部１６０とレンズ保持部１７０との間に、上述したような防止部１８０を設けることで、フード部１６０の撓みにより隙間が変動しても、異物の侵入を適切に防ぐことができる。
【００４９】
＜変形例＞
次に、上述したメガネ１００の変形例について説明する。図１０は、変形例におけるレンズ保持部１７０の一例を示す斜視図である。図１０に示す例では、延設部１７７は、顔面方向の縁に、フード部１６０側に突出する凸部１７８を有する。
【００５０】
この凸部１７８は、フード部１６０と接触することが望ましい。これにより、凸部１７８は、レンズ保持部１７０とフード部１６０とのわずかな隙間から侵入した異物を、顔面に侵入させないために役立つ。なお、この凸部は、フード部１６０に設けられてもよい。このとき、凸部は、延設部１７７側に凸になるように設けられる。
【００５１】
図１１は、変形例におけるフード部１６０の一例を示す斜視図である。図１１に示す例では、フード部１６０は、中央部分を含む第１部分１６０Ａと、第１部分１６０Ａと異なる素材で形成される第２部分１６０Ｂとを含む。例えば、第１部分１６０Ａは、第２部分１６０Ｂよりも可撓性が高い素材を用いる。例えば、第１部分１６０Ａは、樹脂を用いる場合、第２部分１６０Ｂは樹脂よりも可撓性が高い弾性部材、第１部分１６０Ａの樹脂よりも可撓性が高い樹脂（シリコーン樹脂など）などを用いる。なお、フード部１６０は、３つ以上の素材を含み、撓みやすくなるように構成されてもよい。これにより、フード部１６０の可撓性をさらに高め、顔面へのフィット感を向上させることができる。
【００５２】
図１２は、変形例における防止部１８０Ａの一例を示す端面図である。図１２に示す防止部１８０Ａは、図２に示すＡ−Ａ’の端面を示し、Ｘ方向において同様の形状を有する。防止部１８０Ａは、レンズ保持部１７０Ａが、Ｙ方向のフロント側に凹部を有し、フード部１６０Ａが、その凹部の凹みに対して、抜き差しできる程度のサイズの凸部を有する。この凸部は、フード部１６０Ａが撓んだとしても、その一部は凹部に挿入され続ける。
【００５３】
これにより、フード部１６０Ａが撓んだとしても、防止部１８０Ａにより、レンズ保持部１７０Ａとフード部１８０Ａとの隙間から異物が侵入することを防止する。なお、防止部１８０Ａは、レンズ保持部１７０Ａの凹部と、フード保持部１６０Ａの凸部が異物の侵入を防ぐことができればよいので、図１２に示す形状に限られない。
【００５４】
図１３は、変形例における防止部１８０Ｂの一例を示す端面図である。図１３に示す防止部１８０Ｂは、図２に示すＡ−Ａ’の端面を示し、Ｘ方向において同様の形状を有する。防止部１８０Ｂは、レンズ保持部１７０Ａと、フード部１６０Ｂとの隙間を埋める伸縮可能な部材である。例えば、防止部１８０Ａは、例えばゴムなどの弾性部材や、蛇腹のような伸縮可能な部材であればよい。
【００５５】
これにより、フード部１６０Ａが撓んだとしても、防止部１８０Ｂにより、レンズ保持部１７０Ａとフード部１８０Ａの隙間から異物が侵入することを防止する。
【００５６】
また、フード部１６０は、顔面方向の縁部に、弾性部が設けられてもよい。弾性部は、例えばゴムなどの弾性部材である。これにより、弾性部が顔面形状にフィットすることで、異物の侵入をさらに防ぐことができる。
【００５７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００５８】
１００  メガネ
１２４  眉間部
１３０  テンプル
１６０  フード部
１７０  レンズ保持部
１７７  延設部
１８０  防止部
【図１】
2016040579.tif 000003
【図２】
2016040579.tif 000004
【図３】
2016040579.tif 000005
【図４】
2016040579.tif 000006
【図５】
2016040579.tif 000007
【図６】
2016040579.tif 000008
【図７】
2016040579.tif 000009
【図８】
2016040579.tif 000010
【図９】
2016040579.tif 000011
【図１０】
2016040579.tif 000012
【図１１】
2016040579.tif 000013
【図１２】
2016040579.tif 000014
【図１３】
2016040579.tif 000015